(57)【要約】【課題】  自らＭＬＭビジネスのディストリビューターを志望する人が、多数のＭＬＭ会社の中から希望に適ったＭＬＭ会社を容易に選択でき、且つ組織系列におけるスポンサーの立場となるディストリビューターも、多数の中から好ましい人を指名してＭＬＭビジネスに参加することができる、ＭＬＭビジネスの紹介方法を提供する。【解決手段】  インターネット上に、各々のＭＬＭ会社（３）と、前記ＭＬＭ会社に所属する各々のディストリビューター（４）で構成されるＭＬＭビジネスの紹介サイト（２）を設け、ＭＬＭビジネスの志望者（１）は、前記サイトにおける、あらかじめ設定された検索条件を用いて各該当するＭＬＭ会社のビジネス情報（５）及び、各該当するディストリビューターの自己の紹介情報（６）に基づき希望に適ったＭＬＭ会社と、且つスポンサーの立場となるディストリビューターを選択してサインアップする。【選択図】      図１
2006323799.tif 000002
【特許請求の範囲】
【請求項１】
ＭＬＭビジネスの志望者が、個人の希望に適ったＭＬＭ会社と、且つスポンサーの立場となるディストリビューターを自ら選択して、前記ビジネスに参加することができるＭＬＭビジネスの紹介方法であって、
インターネット上に、各々のＭＬＭ会社と前記ＭＬＭ会社に所属する各々のディストリビューターで構成されるＭＬＭビジネスの紹介サイトを設け、前記サイトは、ＭＬＭビジネスの構成要素を検索条件とし、各該当するＭＬＭ会社のビジネス情報に基づき、所望するＭＬＭ会社を選択する手段と、人間が有する共通属性を検索条件とし、所定のＭＬＭ会社所属の各該当するディストリビューターの任意の自己の紹介情報に基づき、前記スポンサーの立場となる所望するディストリビューターを選択する手段とを備えた、ＭＬＭビジネスの紹介方法。
【発明の詳細な説明】
【技術分野】
【０００１】  本発明は、ＭＬＭビジネスの志望者が、個人の希望に適ったＭＬＭ会社と、且つスポンサーの立場となるディストリビューターを、自ら選択してＭＬＭビジネスに参加することができる、ＭＬＭビジネスの紹介方法に関するものである。
【背景技術】
【０００２】  ＭＬＭビジネスは、口コミによる紹介ビジネスと言われるように、先に参加しているディストリビューターの紹介によって、紹介を受けた人がビジネスに参加するプロセスのマーケティングシステムを特徴とするビジネスである。
【発明の開示】
【発明が解決しようとする課題】
【０００３】  そのために、次のような問題点があった。
（イ）ＭＬＭすなわちマルチ・レベル・マーケティングの特質上、自主的にＭＬＭビジネスへの参加を志望する人にとっては、ＭＬＭ会社選択のための適切な情報比較手段がなかった。
（ロ）ＭＬＭビジネスの志望者が、自主的に参加するＭＬＭ会社を特定した場合においても、組織系列上のスポンサーの立場となるディストリビューターは、会社が用意するものであり、新規参加者が指名するものではなかった。
（ハ）ＭＬＭビジネスは、マーケティングシステム上、前記ビジネスにおける最重要条件であるべき、参加する会社と、あとあとビジネスを手助けしていくサポーターの役割を担うべきスポンサーが必然として決定される。したがって紹介されたＭＬＭ会社や紹介者であるスポンサーが不適切であったがために、新規参加者は、ＭＬＭビジネスに参加はしたもののビジネスに適応できない状況が多々あった。
本発明は、これらの問題点を解決するためになされたものである。
【課題を解決するための手段】
【０００４】  ＭＬＭビジネスの志望者が、個人の希望に適ったＭＬＭ会社と、且つスポンサーの立場となるディストリビューターを自ら選択して、前記ビジネスに参加することができるＭＬＭビジネスの紹介方法であって、
インターネット上に、各々のＭＬＭ会社と、前記ＭＬＭ会社に所属する各々のディストリビューターで構成されるＭＬＭビジネスの紹介サイトを設け、前記サイトは、ＭＬＭビジネスの構成要素を検索条件とし、各該当するＭＬＭ会社のビジネス情報に基づき、所望するＭＬＭ会社を選択する手段と、人間が有する共通属性を検索条件とし、所定のＭＬＭ会社所属の各該当するディストリビューターの任意の自己の紹介情報に基づき、前記スポンサーの立場となる所望するディストリビューターを選択する手段とを備えた、ＭＬＭビジネスの紹介方法である。
【発明の効果】
【０００５】  ディストリビューターの紹介を経ずに、自主的にＭＬＭビジネスへの参加を志望する人においては、多数のＭＬＭ会社の中から希望に適ったＭＬＭ会社を、適切、且つ容易に選択することができ、選択したＭＬＭ会社の組織系列におけるスポンサーの立場となるディストリビューターも好ましい人を指名してサインアップすることができる。
また、当該サイト内のＭＬＭ会社及び、ディストリビューターは、通常のリクルート活動とは別個に、居ながらにして相性の良い新規参加者をスポンサーする仕組を所有できる。
なお、当該サイトにおいて、ＭＬＭ会社の加入時に、違法業者をチェックする制度を設けて、サイト内のＭＬＭ会社及びＭＬＭ業界の認知度を高めることができる。
【発明を実施するための最良の形態】
【０００６】    以下、本発明の実施の形態について説明する。
（イ）図１に示すように、インターネット上に、各々のＭＬＭ会社（３）が、主宰するビジネスをＭＬＭビジネスの志望者（１）に紹介するために加入する、ＭＬＭビジネスの紹介サイト（２）を設置する。また、前記サイト（２）は、前記サイト内のＭＬＭ会社（３）に所属するディストリビューター（４）も、任意で加入できる構成となっている。尚、ディストリビューター（４）が加入する目的は、ＭＬＭビジネスの志望者（１）に自己を紹介する情報を提供してスポンサーに指名される機会を得るためである。
（ロ）ＭＬＭビジネスの紹介サイト（２）には、ＭＬＭビジネスの構成要素を検索条件として設定する。前記構成要素とは、商品と報酬システムを基本として、商品の場合は消費材、耐久材とに分割し、更に消費材なら、健康食品、化粧品等とに再分割したものである。報酬システムの場合は、ブレイクアウェイ、ユニレベル、バイナリー、ハイブリッド等の種類別に分割したものである。
また、商品と報酬システムの各分割した要素を、例えば健康食品＋バイナリーというように複合させ、検索対象をより絞り込んだものも含まれる。これにより、ＭＬＭビジネスの志望者（１）は、端末装置で希望のカテゴリーから前記検索条件を用いて、各該当するＭＬＭ会社のホームページのビジネス情報（５）に基づき所望するＭＬＭ会社を容易に選択することができる。
（ハ）ＭＬＭビジネスの志望者（１）が、上記ＭＬＭ会社の選択手段を用いて、参加するＭＬＭ会社を選択した場合、次のステップは、上記サイト（２）に備わる人間の有する共通の属性、すなわち居住エリア、性別、年齢帯等の検索条件を用い、選択したＭＬＭ会社に所属の各該当するディストリビューター（４）の提供する自己の紹介情報（６）に基づき、スポンサーの立場となる所望するディストリビューター（４）を選択する。尚、人間共通の属性を検索条件とする理由は、前記ビジネスの志望者（１）がＭＬＭビジネスに参加した以後、スポンサーとして、コミュニケーションを持っことになる好ましい相手を選択する目安として適切な属性となるからである。
本発明は、以上の構成よりなっており、上記ステップを経たＭＬＭビジネスの志望者（１）は、前記サイト（２）に備わる案内をもってＭＬＭ会社（３）に直接サインアップするか、スポンサーに指名したディストリビューター（４）を介してＭＬＭ会社（３）にサインアップするがのどちらかの方法を選んでＭＬＭビジネスのディストリビューターとなる。【０００７】  ＭＬＭビジネスの紹介サイト（２）における、各ＭＬＭ会社の主宰するビジネス情報（５）の情報提供方法として、ビデオや動画による仮想のＭＬＭビジネスの説明会場を設け、リアルなＭＬＭビジネスの紹介手段とする形態もできる。
【図面の簡単な説明】
【０００８】
【図１】  本発明の実施例を示すフローチャート図
【符号の説明】
【０００９】  １  ＭＬＭビジネスの志望者と端末装置
２  ＭＬＭビジネスの紹介サイト
３  各ＭＬＭ会社と端末装置
４  各ディストリビューターと端末装置
５  ＭＬＭビジネス情報
６  ディストリビューターの自己の紹介情報
【図１】
2006323799.tif 000003